(57)【要約】      （修正有）【課題】簡単な組立作業により高いインテリア性と十分な構造上の剛性を備えると共に、分解後の収納容量を小さくすることができる組立家具を提供する。【解決手段】脚部１１と脚部の頂部から延在する受座部１２を一体に構成し、受座部の上面であって開放端から離間した位置に係止ピン１４を固定してなる複数の支脚１と、中心に埋設ナット３１を備えるとともに、埋設ナットを中心にして所定の角度で支脚を配置したとき、係止ピンに対応する位置に、係止ピンに嵌合する係止穴３２を形成した天板３と、中心に締結ボルト挿通孔を形成するとともに、固定される支脚と等角度で受座部の下面に延在するステム２１の先端部を曲成して受座部を保持するホルダーと、ホルダーの締結ボルト挿通孔から挿通して天板の埋設ナットに螺着し、ホルダーを支脚の受座部とともに天板に緊締する締結ボルト、からなる。【選択図】図１０
0003190585.tif 000002
【実用新案登録請求の範囲】
【請求項１】
脚部と該脚部の頂部から延在する受座部を一体に構成し、該受座部の上面であって開放端から離間した位置に係止ピンを固定してなる複数の支脚と、
中心に埋設ナットを備えるとともに、該埋設ナットを中心にして所定の角度で前記支脚の受座部の開放端を配置したとき、前記係止ピンに対応する位置に、該係止ピンに嵌合する係止穴を形成した天板と、
中心に締結ボルト挿通孔を形成するとともに、固定される前記支脚と等角度で受座部の下面に延在するステムの先端部を曲成して受座部を保持するホルダーと、
前記ホルダーの締結ボルト挿通孔から挿通して前記天板の埋設ナットに螺着し、前記ホルダーを支脚の受座部とともに天板に緊締する締結ボルト、からなることを特徴とする組立家具。
【請求項２】
前記支脚の受座部の側端エッジに面取り部を形成したことを特徴とする請求項１に記載の組立家具。
【請求項３】
前記支脚の受座部の下面に切欠段部を形成し、該切欠段部の端部に前記ホルダーの開放端が当接するようになし、該ホルダーの位置決めが可能となるようにしたことを特徴とする請求項１に記載の組立家具。
【請求項４】
前記支脚の脚部の下半の内面の肉厚を薄くしてスタッキングが容易となるようにしたことを特徴とする請求項１に記載の組立家具。
【考案の詳細な説明】
【技術分野】
【０００１】
本考案は、組立容易性を向上するとともに天板の交換により多彩な用途にアレンジすることができる組立家具に関するものである。
【背景技術】
【０００２】
一般家庭などで使用される家具は、用途を特定して構成されたものが多く、例えば、椅子は椅子として、テーブルはテーブルとして機能構成され、用途の変更は甚だ困難なものである。また、家族形態の変更などにより利用する可能性のなくなった家具であっても分解が不能な場合が多く、そのまま部屋の片隅に放置されたままとなるか、収納スペースに納めても空間を大きく占有することになる。
【０００３】
そこで、生活形態の変化に対応させて組立態様を変更して各種の目的に適合するようにした組立家具が提案されている（特許文献１参照）。この特許文献１に開示された組立家具は、同じ幅を有し、その長さの比が２対１である薄板状のペーパーハニカムから成る長方形状の横材と、正方形状の縦材とがコの字型となるように横材の両端に縦材を直角に固定し、且つ、横材の四隅部及び縦材の開放側の二隅部に結合穴を形成するというものである。
【先行技術文献】
【特許文献】
【０００４】
【特許文献１】特開２００８−２８９６３４
【考案の概要】
【考案が解決しようとする課題】
【０００５】
このように特許文献１に開示された組立家具は、基本的な構成要素を長方形状の横材と正方形状の縦材をコの字状に固定してユニット化し、複数のユニットを組み合わせて椅子、テーブル、ベッドなどを構成するようにしたものである。したがって、目的の家具を構成するにあたり、まず横材と縦材を固定する煩わしい組立作業が必要となり、しかも横材と縦材の二隅部の結合穴をボルトで連結するというもので、きわめて剛性に乏しい構造となっている。
【０００６】
ところで、室内に配置する家具の最も重要な要件は、耐久性とともにインテリア性を備えたものでなくてはならない。しかしながら特許文献１のように、単なるコ字状の構成要素では無機質なイメージが残るものとなり、インテリア性を期待することができない。また、不要となって分解した場合には収納容量の大きなものとなり、実用性の乏しいものとなる。
【０００７】
本考案は、かかる従来の課題を解決するためになされたもので、簡単な組立作業により高いインテリア性を備えた多彩な用途の家具の提供が可能となるようにし、しかも十分な構造上の剛性を備えるとともに、分解した場合においても収納容量を小さくすることができる組立家具となるようにすることを課題とするものである。
【課題を解決するための手段】
【０００８】
そこで本考案は、以下に述べる各手段により上記課題を解決するようにした。即ち、請求項１に記載の発明では、脚部と該脚部の頂部から延在する受座部を一体に構成し、該受座部の上面であって開放端から離間した位置に係止ピンを固定してなる複数の支脚と、  中心に埋設ナットを備えるとともに、該埋設ナットを中心にして所定の角度で前記支脚の受座部の開放端を配置したとき、前記係止ピンに対応する位置に、該係止ピンに嵌合する係止穴を形成した天板と、中心に締結ボルト挿通孔を形成するとともに、固定される前記支脚と等角度で受座部の下面に延在するステムの先端部を曲成して受座部を保持するホルダーと、前記ホルダーの締結ボルト挿通孔から挿通して前記天板の埋設ナットに螺着し、前記ホルダーを支脚の受座部とともに天板に緊締する締結ボルト、からなる組立家具となるようにする。
【０００９】
請求項２に記載の考案では、上記請求項１に記載の組立家具において、支脚の受座部の側端エッジに面取り部を形成すようにする。
【００１０】
請求項３に記載の考案では、上記請求項１に記載の組立家具において、支脚の受座部の下面に切欠段部を形成し、該切欠段部の端部にホルダーの開放端が当接するようになし、該ホルダーの位置決めが可能となるようにする。
【００１１】
請求項４に記載の考案では、上記請求項１に記載の組立家具において、支脚の脚部の下半の内面の肉厚を薄くしてスタッキングが容易となるようにする。
【考案の効果】
【００１２】
本考案の請求項１に記載の組立家具によれば、複数の支脚と天板を分解可能となるようにし、支脚の天板への取り付けをホルダーにより１本の締結ボルトの緊締で行うようにしたので、組み立ておよび分解が容易であり、天板を種々の形状のものから選択可能となるようにしたので、用途に応じて、例えばスツール、ローテーブル、フラワースタンド、観賞魚用水槽など多彩なアレンジが可能となる。また、分解も締結ボルトを取り除くのみの作業で完了し、収納容積を小さくすることができることから物流コストを低くすることができるという経済的高価も得ることができる。
【００１３】
本考案の請求項２に記載の組立家具によれば、請求項１に記載の考案の効果に加え、支脚の受座部の側端エッジに面取り部を形成したので、隣り合う受座部の側端エッジ同士の接触面積が大きくなって構造上の剛性が高くなるとともに、天板中心への位置決めが容易となる。
【００１４】
本考案の請求項３に記載の組立家具によれば、請求項１に記載の考案の効果に加え、支脚の受座部の下面に切欠段部の端部にホルダーの開放端が当接するようにしたので、ホルダーの位置決めが容易となる。
【００１５】
本考案の請求項４に記載の組立家具によれば、支脚の脚部の下半の内面の肉厚を薄くしたので、同一形態で完成した組立家具を積み重ねるスタッキングが容易となる。
【図面の簡単な説明】
【００１６】
【図１】本考案の組立家具の完成状態の斜視図である。
【図２】本考案の組立家具の支脚の構成を説明する側面図である。
【図３】本考案の組立家具の支脚の組立状態を説明する図である。
【図４】本考案の組立家具のホルダーの展開図である。
【図５】本考案の組立家具のホルダーの完成状態の平面図である。
【図６】本考案の組立家具のホルダーの完成状態の斜視図である。
【図７】本考案の組立家具の天板の例を示す図である。
【図８】本考案の組立家具の天板の例を示す図である。
【図９】本考案の組立家具の天板の例を示す図である。
【図１０】本考案の組立家具の組立状態を説明する斜視図である。
【図１１】本考案の組立家具の完成状態を示す外観斜視図である。
【図１２】本考案の組立家具のスタッキング状態を説明する図である。
【図１３】本考案の組立家具の完成状態の他の例を示す斜視図である。
【考案を実施するための形態】
【００１７】
以下、本考案の組みたい家具の実施の態様を図に基づいて詳細に説明する。本考案の組立家具Ａの主要な構成要素は、図１に示すように複数（本実施例においては３本）の支脚１、ホルダー２、天板３、および締結ボルト４からなる。
【００１８】
前記支脚１は図２（Ａ）（Ｂ）に示すように、逆Ｌ字型であって脚部１１と受座部１２とからなる。この脚部１１と受座部１２は、天然木質材あるいは合成樹脂で一体成型したものでもよいが、同図に示すように脚部１１と受座部１２をダボ１３とともに接着して固定した寄せ木構造としてもよい。
【００１９】
前記脚部１１は、破断図で示すように下半の内面を削ぎ落とした状態で、上半より肉厚が薄くなるようにし、同一形態で完成した組立家具をスタッキングする場合に脚部１１の天板３への接触を回避し、積み重ねが容易となるようにしている。
【００２０】
一方、受座部１２の側端エッジに面取り部１２ａを形成し、図３に示すように接触させて配置することにより隣り合う側端エッジの接触面積が大きくなり、構造上の剛性が高くなるとともに、天板３の中心への位置決めが容易となる。また、受座部１２の上面であってこの受座部１２の開放端から任意に定めた離間位置にダボの埋設などによる係止ピン１４を固定する。さらに受座部１２の裏面に切欠き部１２ｂを形成し、これにより形成された段部１２ｃに後述するホルダー２の開放端が当接するようにする。
【００２１】
つぎに、支脚１を天板３へ固定するためのホルダー２の構成について説明する。図４はホルダー２の完成前の展開図であり、同図に示すように中心から互いに１２０°の距離で離間して延在するステム２１の先端部に保持フラップ２２を一体に備え、破線で示す位置で約９０゜の角度で折曲して図５、図６に示す形状となるようにする。なお、各ステム２１の中心には後述する締結ボルト４の挿通孔２３が形成されている。
【００２２】
つぎに、天板３の構成について以下に説明する。図７（Ａ）（Ｂ）はスツールまたはローテーブルを構成することを前提とするもので、三角形状の天板３の中心には同図に示すように埋設ナット３１を固定してある。この埋設ナット３１は既知の鬼目ナット、爪付ナット、あるいはプレートナットを任意に採用し得る。そして各頂部と中心を結ぶ線上であって前記受座部１２の係止ピン１４に対応する位置に係止穴３２が形成されている。天板３は以上を基本的な構成とするが、スツールを構成する場合は表面にクッション材および表装材を張設するようにしてもよい。天板３の形状は三角形状に限定されるものではなく、図８（Ａ）（Ｂ）に示す円盤状、図９（Ａ）（Ｂ）に示す紡錘円盤状、また単に方形状のものであってもよい。
【００２３】
以上のように構成された支脚１、ホルダー２、天板３を組み立てる場合は、図１０に示すように、まず各支脚１の係止ピン１４を天板３の係止穴３２に嵌合して天板３の裏面上に載置し、受座部１２の開放端が図３に示すように天板３の中心に位置するようにする。つぎに、ホルダー２の各保持フラップ２２の開放端を受座部１２の段部１２ｃに当接させて装着する。そして、必要に応じてワッシャ５１を介装した締結ボルト４をホルダー２の挿通孔２３から挿入し、天板３の埋設ナット３１に螺着し緊締して組み立てを完了する。
【００２４】
以上のようにして完成した本考案の組立家具は、図１１に示すようなスツールとなり、図１２に示すようなスタッキングも可能となる。また、天板のみを交換することにより図１３に示すようなローテーブルとなり、支脚を大きいものに変更したものを採用することによりティーテーブルを構成することも可能となり、広範な用途に対応することができる。
【符号の説明】
【００２５】
Ａ・・・・・・組立家具
１・・・・・・支脚
１１・・・・・脚部
１２・・・・・受座部
１３・・・・・ダボ
１４・・・・・係止ピン
２・・・・・・ホルダー
２１・・・・・ステム
２２・・・・・保持フラップ
２３・・・・・挿通孔
３・・・・・・天板
３１・・・・・埋設ナット
３２・・・・・係止穴
４・・・・・・締結ボルト
【図１】
0003190585.tif 000003
【図２】
0003190585.tif 000004
【図３】
0003190585.tif 000005
【図４】
0003190585.tif 000006
【図５】
0003190585.tif 000007
【図６】
0003190585.tif 000008
【図７】
0003190585.tif 000009
【図８】
0003190585.tif 000010
【図９】
0003190585.tif 000011
【図１０】
0003190585.tif 000012
【図１１】
0003190585.tif 000013
【図１２】
0003190585.tif 000014
【図１３】
0003190585.tif 000015